【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
情報を収集する情報処理装置であって、
当該情報処理装置の移動軌跡の長さである移動距離を測定する移動距離測定手段と、
所定の地理的範囲内にある一つ又は複数の他の情報処理装置に対し、情報コンテンツを要求するコンテンツ要求を送信するコンテンツ要求送信手段と、
前記他の情報処理装置から情報コンテンツを受信する情報コンテンツ受信手段と、
情報コンテンツ受信手段にて受信した情報コンテンツを蓄積する情報コンテンツ蓄積手段とを備え、
前記コンテンツ要求送信手段は、前回コンテンツ要求を送信してから一定の距離を移動した場合に、コンテンツ要求を送信することを特徴とする情報処理装置。
【請求項２】
前記コンテンツ要求送信手段は、
近距離無線通信を用いてコンテンツ要求を送信し、
前記情報コンテンツ受信手段は、前記近距離無線通信を用いて情報コンテンツを受信することを特徴とする請求項１に記載の情報処理装置。
【請求項３】
前記情報コンテンツは、商品に関する情報と、その商品を販売する商店に関する情報と、その商店におけるその商品の販売価格とからなる１組の商店情報であることを特徴とする請求項１または２に記載の情報処理装置。
【請求項４】
当該情報処理装置の内部状態を取得する内部状態取得手段と、
前記情報処理装置の内部状態に応じて、情報コンテンツを要求するコンテンツ要求を送信するか否かを決定するコンテンツ要求送信条件判定手段とを備えたことを特徴とする請求項１乃至３のいずれかに記載の情報処理装置。
【請求項５】
前記情報処理装置の内部状態は、自動車燃料の残量または自動車燃料の残量を推定する情報であり、
前記コンテンツ要求送信条件判定手段は、自動車の燃料の残量が所定値以下となったと推定される場合に、自動車燃料の販売に関する情報を要求するコンテンツ要求を送信することを決定することを特徴とする請求項４に記載の情報処理装置。
【請求項６】
前記情報コンテンツ蓄積手段に蓄積した燃料の販売に関する情報に含まれる燃料を販売する販売所の位置を、ナビゲーション装置の地図上に表示する燃料販売情報表示手段
をさらに備えたことを特徴とする請求項５に記載の情報処理装置。
【請求項７】
前記燃料販売情報表示手段は、あらかじめ設定した価格以下で販売される燃料に関する情報のみを表示することを特徴とする請求項６に記載の情報処理装置。
【請求項８】
前記あらかじめ設定した価格は、燃料の残量に応じて変化することを特徴とする請求項７に記載の情報処理装置。
【請求項９】
所定の情報を配布する情報処理装置であって、
当該情報処理装置の移動軌跡の長さである移動距離を測定する移動距離測定手段と、
予め登録された情報コンテンツを記憶する情報コンテンツ保持手段と、
所定の地理的範囲内にある一つ又は複数の他の情報処理装置に対し、情報コンテンツ保持手段に記憶された情報コンテンツを送信する情報コンテンツ送信手段とを備え、
前記情報コンテンツ送信手段は、前回情報コンテンツを送信した後に前記移動距離測定手段により取得した移動距離が一定の値以上である場合に、情報コンテンツ保持手段に記憶された情報コンテンツを送信することを特徴とする情報処理装置。
【請求項１０】
情報を収集する情報処理装置であって、
当該情報処理装置の移動軌跡の長さである移動距離を測定する移動距離測定手段と、
前記移動距離測定手段の測定結果に基づき、他の情報処理装置に情報コンテンツを要求するコンテンツ要求を送信するコンテンツ要求送信手段と、
前記他の情報処理装置から情報コンテンツを受信する情報コンテンツ受信手段と、
情報コンテンツ受信手段にて受信した情報コンテンツを蓄積する情報コンテンツ蓄積手段とを備えたことを特徴とする情報処理装置。
【請求項１１】
所定の情報を配布する情報処理装置であって、
当該情報処理装置の移動軌跡の長さである移動距離を測定する移動距離測定手段と、
予め登録された情報コンテンツを記憶する情報コンテンツ保持手段と、
前記移動距離測定手段の測定結果に基づき、他の情報処理装置に情報コンテンツを送信する情報コンテンツ送信手段とを備えたことを特徴とする情報処理装置。
【請求項１２】
所定の距離範囲内のみ通信が可能となる近距離無線通信手段を備えた端末と、前記近距離無線通信手段を備えた情報提供局とからなり、
前記情報提供局の近距離無線通信手段が、予め登録された情報コンテンツを記憶する情報コンテンツ保持部と、前記端末から放送された情報コンテンツ要求を受信する要求受信部と、情報コンテンツ要求を受信した場合に情報コンテンツを送信する第１の送信部とを備え、
前記端末の近距離無線通信手段が、任意の情報提供局に対して情報コンテンツ要求を放送する第２の要求放送部と、前記情報提供局の第１の送信部から送信された情報コンテンツを受信する第１の受信部と、受信した情報コンテンツを蓄積する蓄積部と、端末の移動軌跡の長さである移動距離を測定する移動距離測定部とを備え、
前記第２の要求放送部は、前記移動距離測定部によって測定された移動距離が所定の距離以上となった場合に、情報コンテンツ要求を放送することを特徴とする情報交換システム。
【請求項１３】
所定の距離範囲内のみ通信が可能となる近距離無線通信手段を備えた端末と、前記近距離無線通信手段を備えた情報提供局とからなり、
前記情報提供局の近距離無線通信手段が、予め登録された情報コンテンツを記憶する情報コンテンツ保持部と、任意の端末に対して端末探索情報を放送する第２の探索放送部と、
前記端末探索に対応した応答情報を受信する第２の受信部と、前記応答情報を受信した場合に、情報コンテンツ保持部に記憶された情報コンテンツを送信する第２の送信部と、情報提供局の移動軌跡の長さである移動距離を測定する移動距離測定部とを備え、
前記第２の探索放送部は、前記移動距離測定部によって測定された移動距離が所定の距離以上となった場合に、前記端末探索情報を放送し、
前記端末の近距離無線通信手段が、前記端末探索情報及び情報コンテンツを受信する第３の受信部と、前記端末探索情報を受信した場合に、その応答情報を送信する第３の送信部と、受信した情報コンテンツを蓄積する蓄積部とを備えたことを特徴とする情報交換システム。
【請求項１４】
所定の距離範囲内のみ通信が可能となる近距離無線通信手段を備えた端末と、前記近距離無線通信手段を備えた情報提供局とからなり、
前記情報提供局の近距離無線通信手段が、予め登録された情報コンテンツを記憶する情報コンテンツ保持部と、前記端末から送信された情報提供局探索情報を受信する第４の受信部と、前記端末から送信された情報コンテンツ要求を受信する要求受信部と、前記情報提供局探索情報を受信した場合に、その応答情報を送信する第４の送信部と、情報コンテンツ要求を受信した場合にその応答情報を送信してきた端末に情報コンテンツを送信する第１の送信部とを備え、
前記端末の近距離無線通信手段が、任意の情報提供局に対して情報提供局探索情報を放送する第４の探索放送部と、情報提供局から送信された前記応答情報を受信する第５の受信部と、端末の移動軌跡の長さである移動距離を測定する移動距離測定部とを備え、
前記第４の探索放送部は、前記移動距離測定部によって測定された移動距離が所定の距離以上となった場合に前記情報提供局探索情報を放送し、
前記応答情報を受信した場合に、その応答情報を送信してきた情報提供局に対して情報コンテンツ要求を送信する第５の送信部と、前記情報提供局から送信された情報コンテンツを受信する第１の受信部と、受信した情報コンテンツを蓄積する蓄積部とを備えたことを特徴とする情報交換システム。
【請求項１５】
前記端末の蓄積部に蓄積された情報コンテンツが、商品に関する情報と、その商品を販売する商店に関する情報と、その商店におけるその商品の販売価格とからなる１組の商店情報であることを特徴とする請求項１２乃至１４のいずれかに記載した情報交換システム。
【請求項１６】
情報を収集する情報処理装置であって、
当該情報処理装置の移動距離を、走行距離測定器により測定する移動距離測定手段と、
所定の地理的範囲内にある一つ又は複数の他の情報処理装置に対し、情報コンテンツを要求するコンテンツ要求を送信するコンテンツ要求送信手段と、
前記他の情報処理装置から情報コンテンツを受信する情報コンテンツ受信手段と、
情報コンテンツ受信手段にて受信した情報コンテンツを蓄積する情報コンテンツ蓄積手段とを備え、
前記コンテンツ要求送信手段は、前回コンテンツ要求を送信してから一定の距離を移動した場合に、コンテンツ要求を送信することを特徴とする情報処理装置。
【手続補正２】
【補正対象書類名】明細書
【補正対象項目名】００１６
【補正方法】変更
【補正の内容】
【００１６】
また、この発明は、前記あらかじめ設定した価格は、燃料の残量に応じて変化することを特徴とする。
また、この発明は、所定の情報を配布する情報処理装置であって、当該情報処理装置の移動軌跡の長さである移動距離を測定する移動距離測定手段と、予め登録された情報コンテンツを記憶する情報コンテンツ保持手段と、所定の地理的範囲内にある一つ又は複数の他の情報処理装置に対し、情報コンテンツ保持手段に記憶された情報コンテンツを送信する情報コンテンツ送信手段とを備え、前記情報コンテンツ送信手段は、前回情報コンテンツを送信した後に前記移動距離測定手段により取得した移動距離が一定の値以上である場合に、情報コンテンツ保持手段に記憶された情報コンテンツを送信することを特徴とする情報処理装置を提供するものである。
また、この発明は、情報を収集する情報処理装置であって、当該情報処理装置の移動軌跡の長さである移動距離を測定する移動距離測定手段と、前記移動距離測定手段の測定結果に基づき、他の情報処理装置に情報コンテンツを要求するコンテンツ要求を送信するコンテンツ要求送信手段と、前記他の情報処理装置から情報コンテンツを受信する情報コンテンツ受信手段と、情報コンテンツ受信手段にて受信した情報コンテンツを蓄積する情報コンテンツ蓄積手段とを備えたことを特徴とする情報処理装置を提供するものである。
また、この発明は、所定の情報を配布する情報処理装置であって、当該情報処理装置の移動軌跡の長さである移動距離を測定する移動距離測定手段と、予め登録された情報コンテンツを記憶する情報コンテンツ保持手段と、前記移動距離測定手段の測定結果に基づき、他の情報処理装置に情報コンテンツを送信する情報コンテンツ送信手段と、を備えたことを特徴とする情報処理装置を提供するものである。
また、この発明は、所定の距離範囲内のみ通信が可能となる近距離無線通信手段を備えた端末と、前記近距離無線通信手段を備えた情報提供局とからなり、前記情報提供局の近距離無線通信手段が、予め登録された情報コンテンツを記憶する情報コンテンツ保持部と、前記端末から放送された情報コンテンツ要求を受信する要求受信部と、情報コンテンツ要求を受信した場合に情報コンテンツを送信する第１の送信部とを備え、前記端末の近距離無線通信手段が、任意の情報提供局に対して情報コンテンツ要求を放送する第２の要求放送部と、前記情報提供局の第１の送信部から送信された情報コンテンツを受信する第１の受信部と、受信した情報コンテンツを蓄積する蓄積部と、端末の移動軌跡の長さである移動距離を測定する移動距離測定部とを備え、前記第２の要求放送部は、前記移動距離測定部によって測定された移動距離が所定の距離以上となった場合に、情報コンテンツ要求を放送することを特徴とする情報交換システムを提供するものである。
また、この発明は、所定の距離範囲内のみ通信が可能となる近距離無線通信手段を備えた端末と、前記近距離無線通信手段を備えた情報提供局とからなり、前記情報提供局の近距離無線通信手段が、予め登録された情報コンテンツを記憶する情報コンテンツ保持部と、任意の端末に対して端末探索情報を放送する第２の探索放送部と、前記端末探索に対応した応答情報を受信する第２の受信部と、前記応答情報を受信した場合に、情報コンテンツ保持部に記憶された情報コンテンツを送信する第２の送信部と、情報提供局の移動軌跡の長さである移動距離を測定する移動距離測定部とを備え、前記第２の探索放送部は、前記移動距離測定部によって測定された移動距離が所定の距離以上となった場合に、前記端末探索情報を放送し、前記端末の近距離無線通信手段が、前記端末探索情報及び情報コンテンツを受信する第３の受信部と、前記端末探索情報を受信した場合に、その応答情報を送信する第３の送信部と、受信した情報コンテンツを蓄積する蓄積部とを備えたことを特徴とする情報交換システムを提供するものである。
また、この発明は、所定の距離範囲内のみ通信が可能となる近距離無線通信手段を備えた端末と、前記近距離無線通信手段を備えた情報提供局とからなり、前記情報提供局の近距離無線通信手段が、予め登録された情報コンテンツを記憶する情報コンテンツ保持部と、前記端末から送信された情報提供局探索情報を受信する第４の受信部と、前記端末から送信された情報コンテンツ要求を受信する要求受信部と、前記情報提供局探索情報を受信した場合に、その応答情報を送信する第４の送信部と、情報コンテンツ要求を受信した場合にその応答情報を送信してきた端末に情報コンテンツを送信する第１の送信部とを備え、前記端末の近距離無線通信手段が、任意の情報提供局に対して情報提供局探索情報を放送する第４の探索放送部と、情報提供局から送信された前記応答情報を受信する第５の受信部と、端末の移動軌跡の長さである移動距離を測定する移動距離測定部とを備え、前記第４の探索放送部は、前記移動距離測定部によって測定された移動距離が所定の距離以上となった場合に前記情報提供局探索情報を放送し、前記応答情報を受信した場合に、その応答情報を送信してきた情報提供局に対して情報コンテンツ要求を送信する第５の送信部と、前記情報提供局から送信された情報コンテンツを受信する第１の受信部と、受信した情報コンテンツを蓄積する蓄積部とを備えたことを特徴とする情報交換システムを提供するものである。
さらに、この発明は、前記端末蓄積部に蓄積された情報コンテンツが、商品に関する情報と、その商品を販売する商店に関する情報と、その商店におけるその商品の販売価格とからなる１組の商店情報であることを特徴とする。
また、この発明は情報を収集する情報処理装置であって、当該情報処理装置の移動距離を、走行距離測定器により測定する移動距離測定手段と、所定の地理的範囲内にある一つ又は複数の他の情報処理装置に対し、情報コンテンツを要求するコンテンツ要求を送信するコンテンツ要求送信手段と、前記他の情報処理装置から情報コンテンツを受信する情報コンテンツ受信手段と、情報コンテンツ受信手段にて受信した情報コンテンツを蓄積する情報コンテンツ蓄積手段とを備え、前記コンテンツ要求送信手段は、前回コンテンツ要求を送信してから一定の距離を移動した場合に、コンテンツ要求を送信することを特徴とする情報処理装置を特徴とする。